(57)【要約】【課題】  デジタル放送を受信して蓄積装置に記録した番組を、携帯端末、或いは自動車などの移動体端末で容易に再生することを可能にするデジタル放送記録装置を提供する【解決手段】  記録媒体に記録する際には、弱階層パーシャルＴＳと強階層パーシャルＴＳを記録し、記録媒体から外部記録媒体に強階層パーシャルＴＳを移動する。【選択図】図１
2008193273.tif 000002
【特許請求の範囲】
【請求項１】
地上デジタル放送電波から所望のチャンネルのデジタル放送信号を選局するチューナ手段と、
前記チューナ手段により選局されたデジタル放送信号に対して復調および誤り訂正処理を施す復調手段と、
前記復調手段により復調および誤り訂正処理を施したＴＳ信号に対してそれぞれのパケットに分離する多重分離手段と、
前記多重分離手段の多重分離されたそれぞれのＴＳ信号を弱階層で伝送される弱階層パーシャルＴＳ信号と強階層で伝送される強階層パーシャルＴＳ信号とに再多重化する再多重化手段と、
前記再多重化手段により再多重化された一つまたは複数のパーシャルＴＳ信号を記録媒体に記録する記録手段と、
前記記録手段により前記記録媒体に記録された強階層パーシャルＴＳを外部記録媒体に記録する外部記録手段と、
を備え、
前記記録媒体に記録する際には、前記弱階層パーシャルＴＳと前記強階層パーシャルＴＳを記録し、
前記記録媒体から前記外部記録媒体に前記強階層パーシャルＴＳを移動することを特徴とするデジタル放送受信装置。
【請求項２】
前記強階層パーシャルＴＳとは、移動受信向け放送のプログラムを含むＴＳであることを特徴とする請求項１に記載のデジタル放送受信装置。
【請求項３】
前記弱階層パーシャルＴＳとは、固定受信向け放送のプログラムを含むＴＳであることを特徴とする請求項１又は請求項２に記載のデジタル放送記録装置。
【請求項４】
前記多重分離手段により多重分離された映像ＥＳをデコードする映像デコード手段と、
前記多重分離手段により多重分離された音声ＥＳをデコードする音声デコード手段と、
を備えることを特徴とする請求項１に記載のデジタル放送受信装置。
【請求項５】
地上デジタル放送電波から所望のチャンネルのデジタル放送信号を選局するチューナ手段と、
前記チューナ手段により選局されたデジタル放送信号に対して復調および誤り訂正処理を施す復調手段と、
前記復調手段により復調および誤り訂正処理を施したＴＳ信号に対してそれぞれのパケットに分離する多重分離手段と、
前記多重分離手段の多重分離されたそれぞれのＴＳ信号を弱階層で伝送される弱階層パーシャルＴＳ信号と強階層で伝送される強階層パーシャルＴＳ信号とに再多重化する再多重化手段と、
前記再多重化手段により再多重化された一つまたは複数のパーシャルＴＳ信号を記録媒体に記録する記録手段と、
前記記録手段により前記記録媒体に記録された強階層パーシャルＴＳを外部記録媒体に記録する外部記録手段と、
を備え、
前記記録媒体に記録する際には、前記弱階層パーシャルＴＳと前記強階層パーシャルＴＳを記録し、
前記記録媒体から前記外部記録媒体に前記強階層パーシャルＴＳを移動することを特徴とする記録装置。
【請求項６】
前記強階層パーシャルＴＳとは、移動受信向け放送のプログラムを含むＴＳであることを特徴とする請求項５に記載の記録装置。
【請求項７】
前記弱階層パーシャルＴＳとは、固定受信向け放送のプログラムを含むＴＳであることを特徴とする請求項６又は請求項７に記載の記録装置。
【請求項８】
前記多重分離手段により多重分離された映像ＥＳをデコードする映像デコード手段と、
前記多重分離手段により多重分離された音声ＥＳをデコードする音声デコード手段と、
を備えることを特徴とする請求項８に記載の記録装置。
【発明の詳細な説明】
【技術分野】
【０００１】
本発明は、放送番組の録画、再生が可能なデジタル放送受信装置に関する。
【背景技術】
【０００２】
近年、世界的にＴＶ放送のアナログ方式からデジタル方式への移行が推進されており、日本においても地上デジタル放送が開始された。日本国内の地上デジタル放送の特徴は、伝送方式としてセグメント分割ＯＦＤＭ(Orthogonal Frequency Division Multiplex)方式が用いられ、さらにセグメント毎に変調方式や誤り訂正方式を切り換えることにより、最大３階層までの階層伝送が可能な方式を採用していることである。このような階層伝送方式を利用することで、携帯受信向け放送(強階層)と固定受信向け放送(弱階層)といった異なる利用形態を想定した放送を行うことができる。このように携帯端末でのテレビ視聴も可能となったことから、外部記録媒体を経由したコンテンツの移動と視聴が可能になった。
【０００３】
ところで、日本のデジタル放送方式における著作権保護の仕組みとして、コピーワンス方式が提案されている。このコピーワンス識別子が付いたコンテンツでは、内蔵ハードディスクレコーダなどで録画した場合、他の記録媒体へコピーすることはできない。但し、元のコンテンツを削除すれば他の記録媒体へコピーすることが許可される。
【０００４】
このような著作権保護の付加されたコンテンツを外部記録媒体にコピーする場合、外部記録媒体内にハードディスク内に記録されたコンテンツと同一のコンテンツがある場合には、ハードディスクないのコンテンツを優先的に再生する技術が開示されている。(例えば、特許文献１参照)。
【０００５】
【特許文献１】特開２００６−２１６１６４号公報
【発明の開示】
【発明が解決しようとする課題】
【０００６】
しかしながら、上記従来の記録装置によれば、ハードディスクからコピーしたコンテンツの入った外部記録媒体が手元になければ、ハードディスク内のコンテンツも再生できず、視聴者にとっては不便である。
【０００７】
本発明はこのような状況に鑑みてなされたものであり、デジタル放送を受信して蓄積装置に記録した番組を、携帯端末、或いは自動車などの移動体端末で容易に再生することを可能にするデジタル放送受信装置、ならびに記録装置を提供することにある。
【課題を解決するための手段】
【０００８】
上記課題を解決する為、例えば、記録媒体に記録する際には、弱階層パーシャルＴＳと強階層パーシャルＴＳを記録し、記録媒体から外部記録媒体に強階層パーシャルＴＳを移動する。
【発明の効果】
【０００９】
本発明によれば、デジタル放送を受信して蓄積装置に記録した番組を、携帯端末、或いは自動車などの移動体端末で容易に再生することを可能にするデジタル放送記録装置を提供することができる。
【発明を実施するための最良の形態】
【００１０】
以下、本発明の実施の形態について図面を参照して詳しく説明する。なお、図面において、同一符号は同一または相当部分を示す。
【実施例１】
【００１１】
図１は、本発明の実施の形態１に係る装置の概略を示すブロック図である。図1において、受信アンテナ１０１は地上デジタル放送電波を受信し、チューナ１０２に供給する。チューナ１０２は供給された地上デジタル放送電波から所望のチャンネルのデジタル放送信号を選局し、復調部１０３に供給する。復調部１０３は供給されたデジタル放送信号に対して復調および誤り訂正処理を施し、トランスポートストリーム（Transport Stream、以下、ＴＳとする）信号として多重分離部１０４に供給する。多重分離部１０４は供給されたＴＳ信号に対してＰＩＤフィルタ等でＴＳパケットヘッダ解析を行い、映像／音声／セクションＴＳ／独立ＰＥＳそれぞれのデータに分離した後、映像ＥＳ（Elementary Stream、以下、ＥＳとする）は映像デコーダ１０５に、音声ＥＳは音声デコーダ１０６に供給される。映像デコーダ１０５は供給された映像ＥＳのデコードを行い、映像信号１０７を出力する。また、音声デコーダ１０６は供給された音声ＥＳをデコードし、音声信号１０８を出力する。
【００１２】
さらに、多重分離部１０７で多重分離されたそれぞれのＴＳ信号は再多重化部１０９へ供給され、一つまたは複数の番組で構成されるパーシャルＴＳ信号に再多重化し、記録装置インタフェース部１１０および外部記録媒体インタフェース部１１１に供給される。記録装置インタフェース部は供給されたパーシャルＴＳ信号を記録装置に応じた規格の信号に変換し、記録装置１１２に供給する。記録装置１１２に記録されたパーシャルＴＳ信号は、外部記録媒体インタフェース部１１１を介して外部記録媒体１１３に供給し、転送することが可能である。なお、記録装置１１２に記録されている情報は、記録装置インタフェース部１１０を介して多重分離部１０４に読み出すことが可能である。また、チューナ１０２、復調部１０３、多重分離部１０４、再多重化部１０９、記録装置インタフェース部１１０、外部記録媒体インタフェース部１１１はそれぞれ制御部１１４によって制御される。
【００１３】
図２は日本の地上デジタル放送で運用されている階層伝送方式の概要を示す説明図である。地上デジタル放送方式ではテレビジョン放送のチャンネル帯域幅６ＭＨｚを14等分したOFDMセグメントを13個連ねて一つのＯＦＤＭ送信信号２００を構成する。OFDMセグメントを単位として伝送パラメータを変更することが可能であり、最大3階層までの階層伝送を行うことができる。図２では、中央の一つのセグメントを強階層２０２、他の１２セグメントを弱階層２０１として運用されている一例である。上記の強階層および弱階層は地上デジタル放送運用規定（ＡＲＩＢ  ＴＲ−Ｂ１４）に規定されており、伝送容量は高いが伝送誤りに比較的弱い階層を弱階層、伝送容量は低いが伝送誤りに比較的強い階層を強階層という。
【００１４】
階層２０１での伝送パラメータは変調方式をＱＰＳＫ、畳み込み符号の符号化率を２／３としている。強階層２０１で伝送されるパケットの種類を強階層ＴＳパケット一覧２０３に示す。ＰＭＴ２０５、データＥＳ２０６、簡易映像ＥＳ２０７、音声ＥＳ２０８、PCR２０９が伝送されており、これらのパケットで携帯受信機向け放送サービスを行う。また、ＰＡＴは含まれない。
【００１５】
階層２０２での伝送パラメータは変調方式を６４ＱＡＭ、畳み込み符号の符号化率を７／８としている。弱階層２０２で伝送されるパケットの種類を弱階層ＴＳパケット一覧２０４に示す。ＰＡＴ２１０、ＰＭＴ２１１、映像ＥＳ２１２、音声ＥＳ２１３が伝送されており、これらのパケットで固定受信機向け放送サービスを行う。
【００１６】
ここで、携帯受信機向け放送サービスの映像と音声は、固定受信機向け放送サービスの映像と音声をレート変換により圧縮したもので、同一内容が放送されるサイマル放送が行われているものとする。
【００１７】
以下、選局したチャンネルが図２で示した内容で階層伝送が行われている場合における本実施形態の制御部１１４の動作について、図１を用いて説明する。
【００１８】
まず初めに、チューナ１０２で選局されて復調部１０３で復調および誤り訂正されたＴＳ信号を記録装置１１２に記録させる場合の動作について説明する。
【００１９】
多重分離部１０４で映像／音声／セクションＴＳ／独立ＰＥＳそれぞれのデータに多重分離したＴＳ信号を再多重化部１０９に供給する。次に、再多重化部１０９は供給されたそれぞれのＴＳ信号から、弱階層ＴＳパケット一覧２０４に示したＴＳパケットとPCRパケット２０９を再多重化し、固定受信向け放送サービスを提供する弱階層パーシャルＴＳ信号として記録装置インタフェース部１１０に供給する。
【００２０】
これと並行して、再多重化部１０９は供給されたそれぞれのＴＳ信号から、強階層ＴＳパケット一覧２０３に示したＴＳパケットを再多重化し、携帯受信向け放送サービスを提供する強階層パーシャルＴＳ信号として記録装置インタフェース部１１０に供給する。そして、記録装置インタフェース部１１０から記録装置１１２に２つのパーシャルＴＳ信号が供給され、記録装置１１２に２つのパーシャルＴＳが記録される。この時、記録装置の記録容量を保護するために、固定受信向け放送サービスを提供する弱階層パーシャルＴＳ信号のフレームレートを低下させることも可能である。
【００２１】
次に、記録装置１１２に記録された番組を再生する場合の動作について説明する。通常の再生では、高品質な映像と音声の視聴が可能となる弱階層パーシャルＴＳを再生する。
【００２２】
制御部１１４は視聴者が選択した番組の弱階層パーシャルＴＳ信号を記録装置１１２から読み出し、記録装置インタフェース部１１０を介して多重分離部１０４へ供給する。多重分離部１０４では、供給されたパーシャルＴＳを多重分離し、映像ＥＳを映像デコーダ１０５に、音声ＥＳは音声デコーダ１０６に供給する。映像デコーダ１０４では供給された映像ＥＳをデコードし映像信号を出力し、音声デコーダ１０６は供給された音声ＥＳをデコードし、音声信号１０８を出力する。この時再生されるパーシャルＴＳは元の高品質な映像と音声を出力することが可能である。
【００２３】
次に、記録装置１１２に録画した番組を携帯端末や他の簡易的なプレーヤで視聴するなどの目的で、外部記録媒体１１３にデータを移動する場合の動作について説明する。この場合は、携帯電話や他の簡易的なプレーヤの画面サイズが比較的小さく、低レートの映像であっても視聴者が十分に楽しむことが可能である。従って、強階層パーシャルＴＳを外部記録媒体１１３に移動するものとする。
【００２４】
視聴者がＳＤカード、ＵＳＢメモリ、コンパクトフラッシュ(登録商標)、などの外部記録媒体１１３を外部記録媒体インタフェース部１１１に挿入し、データの移動を指示すると、記録装置１１２に記録された携帯受信向け放送サービスを提供する強階層パーシャルＴＳ信号が読み出され、記録装置インタフェース部１１０と外部記録媒体インタフェース部１１１を介して外部記録媒体１１３に記録される。
【００２５】
この時、記録装置１１２に記録されていた携帯受信向け放送サービスを提供する強階層パーシャルＴＳ信号は削除される。一方、記録装置１１２に記録されていた固定受信機向け放送サービスを提供する弱階層パーシャルＴＳは保存された状態のまま残すことが可能であり、再生も可能である。そして、視聴者は外部記録媒体１１３を使用して携帯電話や他の簡易的なプレーヤにデータを移動させ、録画した番組を視聴することが可能となる。
【００２６】
以上のように本実施形態では、録画の際に、弱階層で伝送されるプログラムと強階層で伝送されるプログラムを個別に記録することにより、弱階層で伝送されるプログラムを削除せずに外部記録媒体へ強階層で伝送されるプログラムを移動することができるので、携帯端末、或いは自動車などの移動体端末で容易に再生することを可能とする。
【図面の簡単な説明】
【００２７】
【図１】本発明の実施の形態における装置の概略を示すブロック図である。（実施例１）
【図２】日本の地上デジタル放送で運用されている階層伝送方式の概要を示す説明図である。
【符号の説明】
【００２８】
１０１…受信アンテナ、１０２…チューナ、１０３…復調部、１０４…多重分離部、１０５…映像デコーダ、１０６…音声デコーダ、１０７…映像信号、１０８…音声信号、１０９…再多重化部、１１０…記録装置インタフェース部、１１１…外部記録媒体インタフェース部、１１２…記録装置、１１３…外部記録媒体、１１４…制御部、２００…ＯＦＤＭ送信信号、２０１…弱階層セグメント、２０２…強階層セグメント、２０３…弱階層ＴＳパケット一覧、２０４…強階層ＴＳパケット一覧、２０５…ＰＡＴ、２０６、２０９…ＰＭＴ、２０７、２１１…映像ＥＳ、２０８、２１２…音声ＥＳ、２１０…データＥＳ、２１１…映像ＥＳ、２１３…ＰＣＲ
【図１】
2008193273.tif 000003
【図２】
2008193273.tif 000004